(57)【要約】【課題】  Ｏ字脚の矯正・防止に有効な歩行矯正用履物を提案する。【解決手段】  底板３と甲被２とからなる履物本体４の底面Ｐに、前後三つの装着底部材５ａ〜５ｃを、着脱可能、かつ位置変更可能な位置可変接合手段（面ファスナー７，８）を介して接合し、履物本体底面Ｐの前縁部に接合する前装着底部材５ａの下底には、内側の足指部と対向する前接地面Ａを形成し、履物本体底面Ｐの前中部に接合する中装着底部材５ｂの下底には、中足骨頭部領域Ｍの中央部および内側部と対向する中接地面Ｂを形成し、履物本体底面Ｐの後部に接合する後装着底部材５ｃの下底には、踵部Ｎと対向する後接地面Ｃを形成した。【選択図】  図３
2005081030.tif 000002
【特許請求の範囲】
【請求項１】
底板と甲被とからなる履物本体と、該履物本体の底面に接合され接地面を形成する前後三つの装着底部材と、履物本体底面に対して装着底部材を着脱可能、かつ位置変更可能に接合する位置可変接合手段とを具備してなり、
履物本体底面の前縁部に接合する前装着底部材の下底には、内側の足指部と対向する前接地面が形成され、
履物本体底面の前中部に接合する中装着底部材の下底には、中足骨頭部領域の中央部および内側部と対向する中接地面が形成され、
履物本体底面の後部に接合する後装着底部材の下底には、踵部と対向する後接地面が形成されていることを特徴とする歩行矯正用履物。
【請求項２】
位置可変接合手段は、装着底部材上面に固定された一側ファスナー面と、履物本体の底面に固定されて、一側ファスナー面と接離可能に結合する他側ファスナー面とからなる面ファスナーにより構成されることを特徴とする請求項１記載の歩行矯正用履物。
【請求項３】
中装着底部材は、履物本体の底板よりも硬く、中足骨頭部領域の大部分と対向する硬質支持板と、該硬質支持板底面に固定され、中足骨頭部領域の中央部および内側部と対向する中接地面を下底に形成する弾性材とにより構成されることを特徴とする請求項１又は請求項２に記載の歩行矯正用履物。
【請求項４】
硬質支持板底面の、中足骨頭部領域の外側部と対向する部分は、弾性材が固定されず、且つ外側に向けて上方傾斜していることを特徴とする請求項３記載の歩行矯正用履物。
【請求項５】
中足骨頭部領域の中央部および内側部と対向する中接地面は、履物本体底面と略平行な外側接地部と、内方に向かって上方傾斜する内側接地部とからなり、
該内側接地部は、内外方向に伸びる段差が形成されており、該段差の前部分が後部分よりも上方に位置していることを特徴とする請求項１乃至請求項４のいずれかに記載の歩行矯正用履物。
【請求項６】
踵部と対向する後接地面は、後方に向けて上方傾斜すると共に、その前縁内側部は内方に向けて後方傾斜していることを特徴とする請求項１乃至請求項５のいずれかに記載の歩行矯正用履物。
【請求項７】
請求項１乃至請求項６のいずれかに記載の歩行矯正用履物を構成するために用いられる前後三つの装着底部材からなる装着底部材セット。
【発明の詳細な説明】
【技術分野】
【０００１】
本発明は、歩行時に足底で正常な荷重移動を行わせるための歩行矯正用履物、および該歩行矯正用履物を構成する装着底部材に関する。
【背景技術】
【０００２】
人間の歩行動作では、通常、踵部から着地し、踵部にかかった荷重を前方に荷重移動させ、つま先で蹴り出しを行う。図１は、正常歩行動作における足底（足の裏）の荷重移動ラインＫを示す。まず、着地すると踵部Ｎの後縁に荷重が加わり、加わった荷重は足底の外側に沿って前方へ移動する。その後、荷重は中足骨頭部領域Ｍを外側から内側へと移動して、最後に内側の足指部Ｌ（拇指や人差指の先端部）に移動し、拇指や人差指の蹴り出しにより、反対側の足底に全ての荷重が移動する。ここで、中足骨頭部領域Ｍとは、足底の中で第一中足骨から第五中足骨の頭部を支える部分であり、図１に示すように、足指の付け根から土踏まずの前縁にかけての領域を指す。
【０００３】
かかる足底での荷重移動は、足の回外運動や回内運動等を組み合わせた、いわゆる「あおり動作」と呼ばれる運動により実現される。このあおり動作を行い、上記のような荷重移動ラインで歩行することにより、人は少ないエネルギーで効率的に歩くことができる。
【０００４】
しかしながら、多くの人は、足の筋肉の低下や誤った歩行習慣により、足底での荷重移動を正しく行わず、疲労し易く、故障の生じ易い歩行動作を行っている。特に、いわゆるＯ字脚の人（Ｏ字脚患者）の場合は、内転筋等の足の筋肉が低下しているため、回内運動が弱く、図２に示すように、歩行時の足底の荷重移動ラインＫ'は正常ラインＫより大きく外側に偏っている。Ｏ字脚の原因は、内転筋等の衰えによる後天的なものが大多数であるが、こうした足底で外側に偏った荷重移動歩行をしていると、歩行時に疲れ易く、故障し易いだけでなく、内転筋等は通常歩行時よりもさらに使われなくなり、筋肉は弱り、膝も変形する一方となる。こうした弱った筋肉を、ウェイトトレーニング等で鍛えることによりＯ字脚矯正は可能であるが、普段の生活での誤った歩行動作が癖として残っているため、一旦足の変形が改善されても、誤った荷重移動を続けることにより、再び変形が生じ易いという問題があった。
【０００５】
また、足底を支える足底支持面を内方に向けて下方傾斜させ、装着者が内側に荷重をかけやすくしたＯ字脚患者用の履物や中敷が知られている（例えば特許文献１）。こうした、履物や中敷きの中には、Ｏ字脚矯正効果を謳っているものもあるが、実際には足底支持面と履物底面との傾きによる案内作用により、足底の荷重を自然に内側へかけさせるだけであり、履物を装着している間は関節の変形が収まり、痛み防止といった対処療法的効果はあるが、Ｏ字脚はほとんど改善されていない。
【０００６】
【特許文献１】特開平０８−０７０９１０公報
【発明の開示】
【発明が解決しようとする課題】
【０００７】
本発明は、上記の問題の解決を試みたものであり、装着して歩行動作を行うことにより、Ｏ字脚の矯正・防止を効率的に行い得る歩行矯正用履物を提案するものである。
【課題を解決するための手段】
【０００８】
本発明は、底板と甲被とからなる履物本体と、該履物本体の底面に接合され接地面を形成する前後三つの装着底部材と、履物本体底面に対して装着底部材を着脱可能、かつ位置変更可能に接合する位置可変接合手段とを具備してなり、履物本体底面の前縁部に接合する前装着底部材の下底には、内側の足指部と対向する前接地面が形成され、履物本体底面の前中部に接合する中装着底部材の下底には、中足骨頭部領域の中央部および内側部と対向する中接地面が形成され、履物本体底面の後部に接合する後装着底部材の下底には、踵部と対向する後接地面が形成されていることを特徴とする歩行矯正用履物である。
【０００９】
かかる構成では、履物本体底面に接合される装着底部材により、正常な荷重移動に必要な踵部、中足骨頭部領域の中央部および内側部、そして内側の足指部に接地面が形成され、接地面により支持されない中足骨頭部領域の外側部や外側の足指部に重心をかけると、履物が傾き、バランスが崩れることとなる。すなわち、本発明の歩行矯正用履物では、適切位置に形成した限られた接地面に荷重の中心をかけるようにして歩かないと、安定歩行し得ないようになっている。そして、この接地面を上述の位置に形成することにより、装着者は、バランスを崩さないように、意識的に正常ラインでの荷重移動を行うこととなる。なお、足のサイズや形状は、個人個人で異なるため単一の履物底では、装着者の足に合った適切な位置に接地面を形成することは困難であるが、接地面を形成する装着底部材は、履物本体底面に対して位置変更可能に接合するものであるから、履物の装着者が、自分の足のサイズ、形状に合わせて装着底部材を接合することにより、適切位置に接地面を形成可能となっている。
【００１０】
このように、適切位置に限定して接地面が形成された本発明の歩行矯正用履物は、装着者に、足底での正常な荷重移動を伴う歩行動作を行わせる。この正常な荷重移動は半ば強制的に行わせるものであるが、装着者が意識的に、自分の筋肉を使って行うものであるから、装着者が日常で正常な荷重移動を行うように習慣づけることが可能となる。特に、Ｏ字脚患者の場合には、衰えた内転筋等の筋肉を使わせて鍛えることで、膝の内反等の姿勢矯正を行うと同時に、正常な荷重移動を習慣づけることとなり、再発性の少ないＯ字脚の矯正を行うことが可能となる。また、自分の歩行動作に問題がないと思っている人の中にも、足底の荷重移動ラインに多少のズレが生じている人は多い。上記のような自分の荷重移動のズレに気づいていない人でも、本発明の歩行矯正用履物を使用して、正常な荷重移動を意識的に行えば、自分の荷重移動の僅かなズレを感じることが可能である。
【００１１】
ここで、内側の足指部とは、拇指と人差指、または拇指から中指にかけての指先部付近を指すものであり（図１参照）、本発明の歩行矯正用履物にあっては、装着者が各自の足にあわせて前装着底部材を履物本体の底面に接合することにより、内側の足指部と対向する位置に前接地面を形成する。また、中足骨頭部領域とは、上述のように、足底で中足骨頭部領域の第一中足骨から第五中足骨の頭部を支持する部分であり、足指の付け根から土踏まずの前縁部分を指す。そして、その中央部および内側部とは、第一中足骨〜第三中足骨の頭部を支持する部分を指すものである。なお、各接地面は、内側の足指部や、踵部の全体と対向する必要はなく、各部分から加わる荷重を接地面で安定して支持可能な範囲であれば部分的なものであっても構わない。
【００１２】
また、本発明の歩行矯正用履物の接地面は、基本的には、各自の足の形状に合わせて、上述の位置に形成し、意識的に正常の荷重移動を行わせることが望ましいが、荷重移動ラインが正常よりも極めて大きく外側にずれている場合には、正常な荷重移動を無理に行うと、足に過大な負担がかかることとなる。こうした場合には、最初から正常な荷重移動ラインで歩行させるのではなく、前接地面や中接地面を通常よりも外側よりに形成し、正常ラインよりも足に負担の少ない外側よりの荷重移動ラインで歩行させ、徐々に荷重移動ラインを正常のもの修正していくようにするとよい。すなわち、かかる歩行矯正用履物にあっては、装着底部材の接合位置を調節することにより、装着者の足のサイズ・形状にあわせるだけでなく、その症状に合わせて矯正の強度を調節することも可能となっている。
【００１３】
そして、装着底部材を履物本体底面に対して着脱可能、かつ位置変更可能に接合する位置可変接合手段は、位置変更の容易さ、結合力、製造コストなどの点から、面ファスナーにより構成することが望ましい。面ファスナーとは、マジックテープ（登録商標）に代表される、フック面とループ面のような、相互に接離可能に面結合する一対のファスナー面とを備えた位置変更可能な面接合手段であり、装着底部材に一側ファスナー面を固定し、履物本体底面に他側ファスナー面を固定することにより位置可変接合手段を低廉かつ容易に構成できる。
【００１４】
また、履物本体としては、底面の平坦なスリッパ形状のものを好適に用い得る。もちろんスリッパに限らず、甲被には踵を覆う部分があっても構わないが、底板は装着底部材を位置変更可能に接合する観点からいって、平板形状であることが好ましい。また、底板の厚みは、厚すぎると足底から接地面までの距離が長くなり、バランスを取り難くなるため薄い方がよいが、一方で、底板の厚みが薄いと、底板が荷重により湾曲し易く、接地面で支持されない中足骨頭部領域の外側部に足の重心がかかった場合に、底板外側部が下方に湾曲してしまい、履物自体が傾かせ難くなる。このため、中装着底部材を、履物本体の底板よりも硬く、中足骨頭部領域の大部分と対向する硬質支持板と、該硬質支持板底面に固定され、中足骨頭部領域の中央部および内側部と対向する中接地面を下底に形成する弾性材とにより構成することが提案される。かかる構成では、中装着底部材の硬質支持板により、中足骨頭部領域付近の底板が底面から支持されるため、中足骨頭部領域外側部に足の重心がかかっても、底板は湾曲せずに、歩行矯正用履物全体が外側に大きく傾くこととなる。ここで弾性材とは、靴やサンダル等の履物の底部に用いられる合成樹脂やコルク等を指すものである。
【００１５】
ここで、中接地面を形成する前記弾性材の底面と、接地面を形成しない硬質支持板外側部の底面とは、該硬質支持板底面を接地させた場合に履物が大きく傾くように、ある程度の高低差を設ける必要がある。しかしながら、弾性材の厚みを大きくすると、足底から接地面までの距離が長くなり、上述したように、接地面においてバランスをとり難くなる。このため、硬質支持板底面の、中足骨頭部領域の外側部と対向する部分は、弾性材を固定せず、且つ外側に向けて上方傾斜させることが提案される。ここで、装着底部材の「上方」とは、履物本体底面の接合部に対しての垂直上方を指すものである。かかる構成のように、硬質支持板の外側底面を外方に向けて上方傾斜させれば、弾性材の厚みを大きくすることなく、硬質支持板の外側底面で接地した場合の、歩行矯正用履物の傾きを可及的に大きくすることが可能となる。
【００１６】
また、中足骨頭部領域の中央部および内側部と対向する中接地面が、履物本体底面と略平行な外側接地部と、内方に向かって上方傾斜する内側接地部とからなり、該内側接地部は、内外方向に伸びる段差が形成されており、該段差の前部分が後部分よりも上方に位置している構成が提案される。かかる構成では、中接地面に荷重がかかると、内側接地部が上方傾斜しているため、内側接地部の方へ荷重移動が行われるようになっており、また、内側接地部に形成された段差により、荷重は内側接地部のさらに前方へ移動するようになる。従って、装着者は中接地面の外側接地部にかけた荷重を、内側前方の足指部へとスムーズに移動させることができる。
【００１７】
さらに、踵部と対向する後接地面は、後方に向けて上方傾斜させると共に、その前縁内側部は内方に向けて傾斜させた構成も提案される。後接地面をかかる形状とした場合には、該後接地面からの着地が促されると共に、着地の際に、床面と後接地面とのなす角度が小さくなり、着地の衝撃が軽減され、踵部にかかった荷重がスムーズ後接地面前部に移動されることとなる。そして、後接地面から中接地面へ荷重を移動させる際には、後接地面の前縁内側の傾斜部により、歩行矯正用履物を内側に傾け易くなっているため、中接地面への荷重移動が助長されることとなる。
【００１８】
ところで、上述のように本発明の歩行矯正用履物を構成する履物本体は、スリッパやサンダル等の履物を好適に用いうるものである。このため、本発明の歩行矯正用履物は、上記構成の前後三つの装着底部材さえ製造すれば、既製の履物と、面ファスナーを組み合わせることにより個人の手により容易に製造可能である。従って、本発明の流通形態としては、歩行矯正用履物だけでなく、それを構成するために用いる前後三つの装着底部材からなる装着底部材セットといった形態も考えられ、かかる装着底部材セットのみの構成も本発明に含めるものとする。
【発明の効果】
【００１９】
本発明の歩行矯正用履物は、履物本体底面に接合した装着底部材により適切位置に限定した接地面を形成し、装着者に、普段行っている荷重移動とのズレを認識させつつ、意識的に正常な荷重移動を伴う歩行動作を繰り返し行わせるものであるから、特に、Ｏ字脚患者が装着した場合には、衰えた内転筋等の筋肉を増強され、膝の内反等の姿勢矯正が行われると同時に、正常な荷重移動が習慣づけられるため、再発性の少ないＯ字脚矯正を効率的に行うことができる。また、Ｏ字脚患者以外が装着した場合にも、歩行時の荷重移動の僅かなズレを感じることで行うように習慣づけることが可能となり、歩行動作を早期に矯正し、Ｏ字脚などの本格的な疾患を未然に防止することができる。
【００２０】
また、本発明の歩行矯正用履物では、装着底部材の接合位置を変更し、各自の足のサイズ・形状に合わせて接地面を好適な位置に形成可能であるため、同形状の歩行矯正用履物を、多くの人が好適に使用可能であり、汎用性が高く、量産性にも優れる。
【００２１】
ここで、位置可変接合手段を面ファスナにより構成した場合には、使用者による接地面の位置変更が容易であると共に、充分な結合力を得ることができ、さらには製造コストも安く抑えることができる。
【００２２】
また、中装着底部材を、履物本体の底板よりも硬く、中足骨頭部領域の大部分と対向する硬質支持板と、該硬質支持板底面に固定し、中足骨頭部領域の中央部および内側部と対向する中接地面を下底に形成する弾性材とにより構成した場合には、履物本体の底板の湾曲を防止することが可能となり、中接地面の外方位置に足の重心がかかった際に、歩行矯正用履物全体を大きく傾かせて、装着者のバランスを崩すことができる。かかる場合には、硬質支持板底面の、中足骨頭部領域の外側部と対向する部分を、弾性材を固定せずに外側に向けて上方傾斜させるようにすれば、弾性材の厚みを増すことなく、硬質支持板の外側底面で接地した場合の、歩行矯正用履物の傾きを大きくすることができる。
【００２３】
そして、中接地面は、履物本体底面と略平行な外側接地部と、内方に向かって上方傾斜する内側接地部とで構成して、該内側接地部に内外方向に伸びる段差が形成し、該段差の前部分を後部分よりも上方に位置させた場合や、後接地面を、後方に向けて上方傾斜させると共に、その前縁内側部は内方に向けて後方傾斜させた場合には、中接地面から前接地面への荷重移動や、後接地面から中接地面への荷重移動が助長されることとなり、装着者はスムーズに正常な荷重移動を行うことができる。
【００２４】
さらに、かかる歩行矯正用履物を構成する前後三つの装着底部材のみを装着底部材セットとして製造し、装着者が面ファスナー等の位置可変接合手段を介して、既製の履物の底面に接合するようにした場合には、装着者が履物本体を選択可能となるため、装着者の好みに応じて多様な形態の歩行矯正用履物を作ることができる。また、部分品として流通させれば、低廉に製造可能となり、運搬も容易である。
【発明を実施するための最良の形態】
【００２５】
本発明の実施形態について添付図面を参照して説明する。
本発明の歩行矯正用履物１は、図３〜６に示すように甲被２と底板３からなる履物本体４と、履物本体４の底面に接合されて、接地面Ａ，Ｂ，Ｃを形成する前後三つの装着底部材５ａ〜５ｃとで構成される。なお、かかる実施例の歩行矯正用履物１は、左右一対の構成であるが、左右対称形状であるため右側のものだけを図示して説明する。
【００２６】
履物本体４は、ＰＶＡ材等の芯板を布で覆い、底面に合成皮革で覆った底板３の両縁に布製の甲被を縫着したスリッパ形状のものを用いる。甲被の後端の外側上部には、切り込み１２と、該切り込み１２を適宜間隔で繋ぎ止める面ファスナー６とを設け、装着者の甲の大きさに甲被２がフィットするようにする。底板３は、厚さ０．５〜２ｃｍ程度の平坦形状とし、足底と接する足底支持面Ｑと、装着底部材５ａ〜５ｃを接合する履物本体底面Ｐとが略平行となるようにする。そして、履物本体底面Ｐの前部内側と後部には面ファスナーの一側ファスナー面７ａ，７ｂをそれぞれ貼付して固定する。かかる履物本体４には既製のスリッパやサンダルに、一側ファスナー面７ａ，７ｂを貼付したものを用いることが可能である。
【００２７】
履物本体４の底面Ｐに接合する三つの装着底部材５ａ〜５ｃは、下底が前接地面Ａを形成する前装着底部材５ａ、中接地面Ｂを形成する中装着底部材５ｂ、そして後接地面Ｃを形成する後装着底部材５ｃにより構成する。各装着底部材５ａ〜５ｃの上面には、上記一側ファスナー面７ａ，ｂと接離可能に結合する他側ファスナー面８ａ〜ｃを貼付して、履物本体底面Ｐの各位置に位置変更可能に接合できるようにする。
【００２８】
履物本体底面Ｐの前端部に接合する前装着底部材５ａは、図３〜図６に示すように、合成ゴムやコルク等の弾性材を１ｃｍ程度の厚みに成形したもので構成し、その下底全体が前接地面Ａを形成する。すなわち、前装着底部材５ａの大きさは一般的な足の拇指、人差指の先端部を安定して支持可能な大きさとする。そして、上面に貼付された他側ファスナー面８ａを、履物本体底面Ｐの一側ファスナー面７ａと結合させることにより、履物本体底面Ｐに接合する。
【００２９】
履物本体底面Ｐの前中部に接合する中装着底部材５ｂは、図７，８に示すように、硬質のプラスチック等で構成された硬質支持板９と、硬質支持板９の底面に固着されて下底に中接地面Ｂを形成する三つの弾性材１１ａ〜１１ｃとで構成する。硬質支持板９は、厚さ０．５〜１ｃｍ程度の多角形状をなし、一般人の中足骨頭部領域Ｍの略全てと対向可能な広さとする。硬質支持板９の上面は平面として、履物本体４底面の一側ファスナー面７ａと係合する他側ファスナー面８ｂが貼付する。一方、その底面は、中央から内側にかけては、上面と平行として、弾性材１１ａ〜１１ｃをそれぞれ固着する。また、底面の外側部は外側方向に向かって上方傾斜させ、硬質支持板９の外側底面で接地した場合に、歩行矯正用履物１が大きく傾斜して、装着者がバランスを崩し易いようにする。
【００３０】
弾性材１１ａ〜１１ｃは、硬質支持板９底面の中央部に固着される外側弾性材１１ａと、内側前部に固着される内側前部弾性材１１ｂと、内側後部に固着される内側後部弾性材１１ｃとからなる。外側弾性材１１ａは、等厚な弾性材で構成し、その下底に履物本体底面Ｐと略平行となる外側接地部Ｂａを形成する。かかる外側弾性材１１ａは、荷重がかかった状態で履物本体底面Ｐと平行を維持できるように硬めの材質で構成するとよい。一方、内側前部弾性材１１ｂと内側後部弾性材１１ｃは、内側に向けて厚みが減じるようにして、その下底に、内方にむかって上方傾斜する内側接地部Ｂｂ，Ｂｃを形成する。ここで、内側前部弾性材１１ｂは、内側後部弾性材１１ｃよりも薄く形成し、内側接地部Ｂｂ，Ｂｃに、内外方向に伸びる段差１３を形成し、該段差１３の前方に形成される接地部Ｂｂが後方に形成される接地部Ｂｃよりも上方に位置するようにする。このように、弾性材１１ａ〜１１ｃの厚みに変化をつけて中接地面Ｂを傾斜させることにより、中接地面Ｂにかかった荷重を内側へ、そして前方へと移動させ易くなり、中接地面Ｂの荷重をスムーズに前接地面Ａへ移動させることができる。また、かかる中装着底部材５ｂの中接地面Ｂ形成する部分は、図６に示すように、前装着底部材５ａよりも厚くして、中接地面Ｂを前接地面Ａより下方に位置させており、中接地面Ｂから前接地面Ａへの荷重移動をさらに助長させるようになっている。
【００３１】
履物本体底面Ｐの後部に接合する後装着底部材５ｃは、図３〜６に示すように、前装着底部材５ａと同質の弾性材で構成し、その大きさを一般的な大きさの踵部Ｎを安定して支持可能な大きさとして、下底全体に後接地部Ｃを形成する。また、後装着底部材５ｃは、前方に向けて厚みが増すように成形して、後接地面Ｃを後方に向けて上方傾斜させ、該後接地面Ｃからの着地を促すと共に、着地時に荷重を前方へ移動させ易いようにする。さらに、後装着底部材５ｃの前端は内側を斜めに切り落として、後接地面Ｃの前縁内側部を内方に向けて後方傾斜させて、後接地面Ｃから中接地面Ｂへ荷重移動させる際に歩行矯正用履物１を内側に傾けて、荷重を内側よりに移動させ易いようにする。
【００３２】
図９は、装着者の足底形状（想像線）に対する、本実施例の装着底部材５ａ〜５ｃの好適な接合態様例を示したものである。前装着底部材５ａは、履物本体底面Ｐの前縁部の内側に接合し、内側の足指部Ｌと対向する位置に前接地面Ａを形成する。また、中装着底部材５ｂは、硬質支持板９が中足骨頭部領域Ｍの大部分と対向するように履物本体底面Ｐの前中部に接合し、弾性材１１ａ〜１１ｃの下底に形成される中接地面Ｂが、中足骨頭部領域Ｍの中央部と内側部と対向する位置に形成されるようにする。さらに、後装着底部材５ｃは、履物本体底面Ｐの後部に、踵部Ｎの中心部と上下に対向するように接合し、その下底に全体に後接地面Ｃを形成する。
【００３３】
そして、上記の位置に接地面Ａ〜Ｃを形成した歩行矯正用履物１を装着して歩行する場合には、接地面の形成されない中足骨頭部領域Ｍや足指部Ｌの外側部に足の重心をかけると、歩行矯正用履物１が大きく傾いて、装着者のバランスが崩れてしまうため、装着者は、三つの接地面Ａ〜Ｃに荷重をかけるようにして歩行を行わなければならない。すなわち、装着者は、後接地面Ｃの後縁から着地して、荷重を前方移動させると同時に、意識的に足を回内させて内側方向へ荷重を移動させて、中接地面Ｂに足の重心をかけて、前方の前接地面Ａから蹴り出しを行うことにより、図９に示すような、正常な荷重移動ラインＫを伴う歩行を意識的に実行することとなる。
【００３４】
このため、かかる歩行矯正用履物１を、Ｏ字脚患者が装着した場合には、普段行わない回内運動を行わせることにより、衰えた内転筋等の筋肉を鍛え、姿勢矯正が可能となると共に、正常な荷重移動を繰り返し行わせることにより、通常の履物を履いた際にも、正常な荷重移動を行うように習慣づけることが可能となる。また、Ｏ字脚患者以外が装着した場合でも、歩行時の微妙な荷重移動のズレを認識し、正常な荷重移動を意識させることにより、Ｏ字脚の発症を未然に防止することができる。
【００３５】
また、上述した装着底部材５ａ〜５ｃの接合態様は、装着者の足のサイズ・形状に合わせたものであるから、装着者の足のサイズ・形状が異なった場合でも、各自の足指部、中足骨頭部領域、踵部の位置に合わせて接合位置を変更することで、各自が歩行時に正常な荷重移動を行うのに適する位置に接地面Ａ〜Ｃを簡単に形成可能である。さらに、重度のＯ字脚で、歩行時の足の荷重移動が、正常の荷重移動ラインよりも大きくズレている場合には、上記の位置に接地面Ａ，Ｂ，Ｃを形成すると、負担が大きすぎるため、前接地面Ａ及び中接地面Ｂを上記の位置よりも外側よりに接合して、徐々に荷重移動が正常となるように移動させることもできる。
【００３６】
なお、本発明は、上記実施例の方法に限定したものではなく、本発明の趣旨の範囲内で適宜変更可能である。例えば、本実施例の中接地面Ｂは、中装着底部材５ｂの三つの弾性材１１ａ〜１１ｃの下底に形成される内外・前後に分割された三つの接地部Ｂａ〜Ｂｃにより構成される。この各接地部Ｂａ〜Ｂｃは多角形状をなし、外側接地部Ｂａは、内側接地部Ｂｂ，Ｂｃよりも、前後に短く、前方よりに形成されているが、かかる形状は本発明の一形態に過ぎず、各接地部Ｂａ〜Ｂｃは円形でも構わないし、外側接地部Ｂａを後方よりに形成したり、内側接地部Ｂｂ，Ｂｃよりも前後に長くしてもよい。さらには、三つの弾性材１１ａ〜１１ｃを一体的に構成し、接地面Ｂを一繋がりの連続面として形成することも可能である。また、多角形状の連続面として形成される前接地面Ａと後接地面Ｃに関しても、その形状を、円形や三角形など種々の形状に変更し得るものであり、本実施例の中接地面Ｂのように、複数に分割された不連続面として形成しても構わない。
【００３７】
また、本発明の主旨は、前後三つの接地面を形成する装着底部材と、位置可変接合手段にあり、履物本体は、既製のスリッパやサンダル等の底面に面ファスナー等の位置可変接合手段を設けたものを用いることができる。従って、装着底部材を好適に接合して利用可能な形状であれば、本実施例の履物本体４の構成に限らず、種々の形状変更が可能である。
【図面の簡単な説明】
【００３８】
【図１】歩行時の足底の正常な荷重移動ラインＫを示す説明図である。
【図２】Ｏ字脚患者における、歩行時の足底の荷重移動ラインＫ'を示す説明図である。
【図３】右足用の歩行矯正用履物１を分解して示す内側面図である。図の左側が歩行矯正用履物１の前方である。
【図４】右足用の歩行矯正用履物１を分解して示す底面図である。図の右側が歩行矯正用履物１の前方である。
【図５】右足用の歩行矯正用履物１を分解して示す平面図である。図の右側が歩行矯正用履物１の前方である。
【図６】右足用の歩行矯正用履物１の正面図である。図の右側が歩行矯正用履物１の左方（内方）である。
【図７】右足用の中装着底部材５ｂの正面図である。図の右側が歩行矯正用履物１の左方（内方）である。
【図８】右足用の中装着底部材５ｂの内側面図である。図の左側が歩行矯正用履物１の前方である。
【図９】装着底部材５ａ〜５ｃの好適な接合態様例を示す底面図である。
【符号の説明】
【００３９】
１  歩行矯正用履物
２  甲被
３  底板
４  履物本体
５ａ  前装着底部材
５ｂ  中装着底部材
５ｃ  後装着底部材
６  面ファスナー
７ａ，７ｂ  一側ファスナー面
８ａ〜８ｃ  他側ファスナー面
９  硬質支持板
１１ａ〜１１ｃ  弾性材
１２  切り込み
１３  段差
Ａ  前接地面
Ｂ  中接地面
Ｂａ  外側接地部（中接地面）
Ｂｂ，Ｂｃ  内側接地部（中接地面）
Ｃ  後接地面
Ｋ  正常な荷重移動ライン
Ｋ'  Ｏ字脚患者の荷重移動ライン
Ｌ  足指部
Ｍ  中足骨頭部領域
Ｎ  踵部
Ｐ  履物本体底面
Ｑ  足底支持面
【図１】
2005081030.tif 000003
【図２】
2005081030.tif 000004
【図３】
2005081030.tif 000005
【図４】
2005081030.tif 000006
【図５】
2005081030.tif 000007
【図６】
2005081030.tif 000008
【図７】
2005081030.tif 000009
【図８】
2005081030.tif 000010
【図９】
2005081030.tif 000011